(57)【要約】【課題】簡易に連結でき、位置調整しなくてよいブロック玩具を提供することである。【解決手段】磁石を連結手段とするブロック玩具において、磁石が４極以上に片面多極着磁又は両面多極着磁されたディスク型又はリング型の磁石であって、ディスク型又はリング型の磁石に対応する円の中心を通り着磁面に対して垂直な垂線を回転軸として磁石が自由回転するように保持されたことを特徴とするブロック玩具を用いる。磁石は６、８又は１０極に片面多極着磁又は両面多極着磁された磁石が好ましい。【選択図】  図４
2010259613.tif 000002
【特許請求の範囲】
【請求項１】
磁石を連結手段とするブロック玩具において、
磁石が４極以上に片面多極着磁又は両面多極着磁されたディスク型又はリング型の磁石であって、ディスク型又はリング型の磁石に対応する円の中心を通り着磁面に対して垂直な垂線を回転軸として磁石が自由回転するように保持されたことを特徴とするブロック玩具。
【請求項２】
磁石が６、８又は１０極に片面多極着磁又は両面多極着磁された磁石である請求項１に記載のブロック玩具。
【請求項３】
連結面と、連結面に対して平行な平面との間に円筒体を設けて、円筒体の内部に磁石を保持した請求項１又は２に記載のブロック玩具。
【請求項４】
連結面と、連結面に対して平行な平面との間に少なくとも３個の磁石保持部材を設けて、少なくとも３個の磁石保持部材と、連結面と、連結面に対して平行な平面との間にできた空間に磁石を保持した請求項１又は２に記載のブロック玩具。
【請求項５】
少なくとも３個の平頭くぎ部材を平頭くぎ部材の頭部分を連結面から遠くなるように、かつ、平頭くぎ部材の胴部分を連結面に垂直になるようにして連結面に設けて、連結面と、平頭くぎ部材の胴部分と、平頭くぎ部材の頭部分との間にできた空間に磁石を保持した請求項１又は２に記載のブロック玩具。
【請求項６】
磁石がディスク型の磁石であって、連結面に対して平行な平面を連結面と反対側に設けて磁石を保持し、連結面と反対側に、磁石の自由回転を手助けするための突起を備えた請求項１又は２に記載のブロック玩具。
【請求項７】
磁石がリング型の磁石であって、平頭くぎ部材の頭部分が連結面から遠くなるようにしてリング孔に通した平頭くぎ部材により磁石を保持し、平頭くぎ部材の芯軸を中心に磁石が自由回転するように構成した請求項１又は２に記載のブロック玩具。
【請求項８】
磁石の円周側面に磁石保持リングを設け、磁石保持リングを保持部材で保持して、磁石が自由回転するように構成した請求項１又は２に記載のブロック玩具。
【請求項９】
連結面と反対側に、平頭くぎ部材の頭部分が磁石から遠くなるようにして、磁石に平頭くぎ部材を設け、平頭くぎ部材を保持部材で保持して、磁石が自由回転するように構成した請求項１又は２に記載のブロック玩具。
【発明の詳細な説明】
【技術分野】
【０００１】
本発明は、多極着磁した磁石を用いたブロック玩具に関する。
【背景技術】
【０００２】
磁石を用いたブロック玩具として、相互に磁気的に連結可能な複数のブロックからなるブロック玩具において、少なくとも１つのブロックは、複数の平面部を有するブロック本体と、該平面部のそれぞれの内部に形成された磁石保持部と、該磁石保持部内に、該磁石保持部に対応する平面部に対して直角な想像上の軸線廻りに回転自在に収納された永久磁石とからなることを特徴とするブロック玩具（特許文献１）や、複数のブロック体で構成され、各ブロック体はその平面部の内側に極性を反対とした２個の磁石を並べ、２個の磁石の位置が入れ替わるように平面部の内側に収納された吸着手段を有することを特徴とする磁石内蔵積み木玩具（特許文献２）が知られている。
【先行技術文献】
【特許文献】
【０００３】
【特許文献１】特開平８−２５７２５２号公報
【特許文献２】特開２００６−５５２３１号公報
【発明の概要】
【発明が解決しようとする課題】
【０００４】
従来の磁石を用いたブロック玩具では、ブロック（ａ）とブロック（ｂ）とを連結する際、本来、磁石が回転してＮ極とＳ極とが接近して接合するけれども、磁石が回転しなくても接合（吸着）することがあり、磁石全体の約半分の長さだけズレてブロック（ａ）とブロック（ｂ）とが連結し得るという問題がある（図５、６参照）。
また、このようにズレて連結してしまった場合、ブロック（ａ）とブロック（ｂ）とを連結した後に連結位置の調整を行う際、既に連結した他のブロック（ｃ）とブロック（ａ）又はブロック（ｂ）との位置がズレることもある。このように、従来の磁石を用いたブロック玩具では、ブロック同士を連結するのに高度な技術が必要となり、幼児向きの玩具等としては不向きであるという問題がある。
本発明の目的は、簡易に連結でき、位置調整しなくてよいブロック玩具を提供することである。
【課題を解決するための手段】
【０００５】
本発明のブロック玩具の特徴は、磁石を連結手段とするブロック玩具において、磁石が４極以上に片面多極着磁又は両面多極着磁されたディスク型又はリング型の磁石であって、ディスク型又はリング型の磁石に対応する円の中心を通り着磁面に対して垂直な垂線を回転軸として磁石が自由回転するように保持された点を要旨とする。
【０００６】
磁石が４極以上に片面多極着磁又は両面多極着磁されたディスク型又はリング型の磁石とは、４極以上に片面多極着磁（アキシャル着磁）又は両面多極着磁された磁石であって、ディスク型又はリング型の形状を持つ磁石を意味する（図３、４参照）。たとえば、４極に片面着磁又は両面着磁された磁石は４つの扇形の極が交互に並んでディスク型又はリング型に構成されたものである。また６極に片面着磁又は両面着磁された磁石は６つの扇形の極が交互に並んでディスク型又はリング型に構成されたものである。また８極に片面着磁又は両面着磁された磁石は８つの扇形の極が交互に並んでディスク型又はリング型に構成されたものである。
【０００７】
多極着磁の方法は、片面着磁又は両面着磁のいずれでもよいが、磁力等の観点から、片面着磁が好ましい。
【０００８】
リング型の磁石の中心孔は、ブロック玩具の連結強度（磁力）等の観点から、できるだけ小さいことが好ましい。
磁石の大きさや材質は、軽く、小さく、薄いものが好ましいが、ブロック玩具の大きさや重量等に基づいて、適宜決定される。
【０００９】
磁極数は、４極以上であれば制限ないが、位置調整の必要性（連結位置のズレやすさ）等の観点から６極以上が好ましく、連結する強度（磁力）等の観点から１０極以下が好ましい。すなわち、磁極数は６、８又は１０極が好ましい。なお、磁極数が奇数になることは磁石の構成上ありえない。
【００１０】
磁石は、ディスク型又はリング型の磁石に対応する円の中心を通り着磁面に対して垂直な垂線を回転軸として自由回転するように保持されている。なお、ディスク型又はリング型の磁石に対応する円の中心とは、ディスク型又はリング型の磁石の外周円に対する中心点を意味する。磁石を自由回転するように保持することにより、連結するブロック玩具同士の連結位置において、磁石の極と、これに対峙する他方の磁石の極が同じであったり、ズレていたとしても、磁石が自由回転して、対峙する磁石の極同士が容易に反対（Ｎ極とＳ極との組合わせ）になり、所定の連結位置で連結することができる。
【００１１】
なお、ディスク型又はリング型の磁石は、連結する他方の磁石のディスク型又はリング型の磁石と、対応する円周部分が重なり合うことにより、ブロック玩具同士が連結される。すなわち、磁石の円周部分同士が重なり合うことにより、ブロック玩具が所定の連結位置で連結される。
したがって、一組のブロック玩具において、磁石は同じ大きさであることが好ましい。磁石の大きさが相違すると、ブロック同士がズレて連結することがある（ズレて連結することを目的とする場合は磁石の大きさを相違する組合わせにしてもよい。）。
【００１２】
ブロック玩具の連結において、磁石と磁石とが直接的に接合（吸着）してブロック同士が連結してもよいし（着磁面が連結面となる）、ブロック玩具を構成する部材（連結面）を介して磁石と磁石とが接合（吸着）してもよい。
ブロック玩具を構成する部材を介して接合（吸着）する場合、この部材は強度を担保できる限り、磁石にくっつかず、できるだけ軽く薄いことが好まし、たとえば、プラスチック製、セラミック製、木製又は紙製の部材が好ましい。
【００１３】
着磁面とは、４極以上に、片面多極着磁（アキシャル着磁）された平面、又は両面多極着磁された面の一方の平面であって、ブロック玩具同士が連結する連結面に対して平行な平面ある。
なお、磁石同士が直接的に連結する場合（連結する磁石と磁石との間にブロック玩具の他の構成部材が存在しない場合）、着磁面（両面多極着磁の場合、着磁面の一方の面；以下同じであり、省略する。）と連結面とは一致する。
ディスク型又はリング型の磁石に対応する円の中心とは、ディスク型又はリング型の磁石の外周円に対する中心点であって、すべての扇形の極が接触又は同距離に位置する点である（この中心の磁力は０になっている。）。
【００１４】
磁石が上記のように自由回転するように保持する方法としては、ブロック玩具に磁石が保持できれば制限ないが、たとえば、以下の（１）〜（７）の方法が含まれる。
【００１５】
（１）連結面と、連結面に対して平行な平面との間に円筒体を設けて、円筒体の内部に磁石を保持する方法（図１参照）。
【００１６】
（２）連結面と、連結面に対して平行な平面との間に、少なくとも３個の磁石保持部材（棒状体又は面状体等）を設けて、少なくとも３個の磁石保持部材と、連結面と、連結面に対して平行な平面との間にできた空間に磁石を保持する方法（図７参照）。
【００１７】
（３）少なくとも３個の平頭くぎ部材を平頭くぎ部材の頭部分を連結面から遠くなるように、かつ、平頭くぎ部材の胴部分を連結面に垂直になるようにして連結面に設けて、連結面と、平頭くぎ部材の胴部分と、平頭くぎ部材の頭部分との間にできた空間に磁石を保持する方法（図９参照）。
【００１８】
（４）磁石がディスク型の磁石であって、連結面に対して平行な平面を連結面と反対側に設けて磁石を保持し、連結面と反対側に、磁石の自由回転を手助けするための突起を備える保持方法（図１０、１１参照）。
【００１９】
（５）磁石がリング型の磁石であって、平頭くぎ部材の頭部分が連結面から遠くなるようにしてリング孔に通した平頭くぎ部材により磁石を保持し、平頭くぎ部材の胴部分の芯軸を中心に磁石が自由回転するように構成した保持方法（図１２参照）。
【００２０】
（６）磁石の円周側面に磁石保持リングを設け、磁石保持リングを保持部材で保持して、磁石が自由回転するように構成した保持方法（図１３参照）。
【００２１】
（７）連結面と反対側に、平頭くぎ部材の頭部分が磁石から遠くなるようにして、磁石に平頭くぎ部材を設け、平頭くぎ部材を保持部材で保持して、磁石が自由回転するように構成した保持方法（図１４参照）。
【００２２】
（１）、（２）及び（４）の方法において、連結面及び／又は連結面に対して平行な平面は、その全面が封鎖（閉鎖）されていてもよいし、その一部が開口されていてもよい。
【００２３】
（１）の方法において、連結面と、連結面に対して平行な平面との間の距離や、円筒体の内径は、磁石の大きさよりも遙かに大きいと、ブロック玩具の連結位置がズレやすくなるため、磁石が自由回転できる程度に、磁石の大きさよりも僅かに大きいことが好ましい。各磁石保持部材（連結面及びこれに対して平行な平面を含む）と磁石との間の隙間は、２ｍｍ程度（好ましくは１ｍｍ、さらに好ましくは０．５ｍｍ、特に好ましくは０．３ｍｍ、最も好ましくは０．２ｍｍ）が好ましい。
【００２４】
連結面に対して平行な平面の大きさに制限はないが、強度を担保できる限り、できるだけ軽く薄く短く小さいことが好ましい。
【００２５】
また、磁石の自由回転をより容易にするために、磁石の廻りに複数個のボールを設置したり（ボールベアリング；図２参照）、磁石と連結面に対して平行な平面との間に円板及び／又ドーナツ板を設置してもよい。ボール、円板及び／又はドーナツ板としては、磁石にくっつかず、軽い材質のものが好ましく、たとえば、プラスチック製、セラミック製、木製又は紙製のものが挙げられる。ボール、円板及び／又はドーナツ板を設置する場合、上記の距離や内径は、磁石の大きさにボール、円板及び／又はドーナツ板を加えた大きさで考慮される。
【００２６】
（２）の方法において、少なくとも３個（好ましくは３〜６個、さらに好ましくは３又は４個）の磁石保持部材と、連結面と、連結面に対して平行な平面との間にできた空間の大きさは、（１）の方法と同様の理由から、磁石が自由回転できる程度に、磁石の大きさよりも僅かに大きいことが好ましい。各磁石保持部材（連結面及びこれに対して平行な平面を含む）と磁石との間の隙間は、２ｍｍ程度（好ましくは１ｍｍ、さらに好ましくは０．５ｍｍ、特に好ましくは０．３ｍｍ、最も好ましくは０．２ｍｍ）が好ましい。
【００２７】
また、少なくとも３個の磁石保持部材（棒状体又は面状体等）としては、円柱、三角柱、四角柱、五角柱、六角柱、立方体又は曲平面体（円筒の一部分）が含まれるが、磁石を保持できればこれらの限定されない。また、これらの大きさに制限はないが、強度を担保できる限り、できるだけ軽く薄く短く小さいことが好ましい。
【００２８】
また、磁石保持部材が柱状体（円柱、三角柱、五角柱及び六角柱等）の場合、この柱状体を中心にして自由回転できるに円筒体を柱状体に設けてもよい（図８参照）。この円筒体を設けることにより、磁石と磁石保持部材との間の摩擦が軽減され、磁石の自由回転がより容易となる。また、磁石の自由回転をより容易にするために、磁石と連結面に対して平行な平面との間に円板及び／又ドーナツ板を設置してもよい。
【００２９】
また、円筒体、円板及び／又はドーナツ板としては、磁石にくっつかず、軽い材質のものが好ましく、たとえば、プラスチック製、セラミック製、木製又は紙製のものが挙げられる。円筒体、円板及び／又はドーナツ板を設置する場合、上記の隙間は、磁石の大きさに円筒体、円板及び／又はドーナツ板を加えた大きさで考慮される。
【００３０】
（３）の方法において、少なくとも３個（好ましくは３〜６個、さらに好ましくは３又は４個）の平頭くぎ部材の胴部分と、平頭くぎ部材の頭部分と、連結面との間にできた空間の大きさは、（１）の方法と同様の理由から、磁石が自由回転できる程度に、磁石の大きさよりも僅かに大きいことが好ましい。平頭くぎ部材の胴部分、平頭くぎ部材の頭部分又は連結面と磁石との間の隙間は、２ｍｍ程度（好ましくは１ｍｍ、さらに好ましくは０．５ｍｍ、特に好ましくは０．３ｍｍ、最も好ましくは０．２ｍｍ）が好ましい。
【００３１】
また、平頭くぎ部材の大きさに制限はないが、強度を担保できる限り、できるだけ軽く薄く短く小さいことが好ましい。
【００３２】
また、平頭くぎ部材の胴部分を中心にして自由回転できる円筒体を胴部分に設けてもよい。この円筒体を設けることにより、磁石と胴部分との間の摩擦が軽減され、磁石の自由回転がより容易となる。また、磁石の自由回転をより容易にするために、磁石と平頭くぎ部材の頭部分との間に円板及び／又ドーナツ板を設置してもよい（図１１参照）。
【００３３】
また、円筒体、円板及び／又はドーナツ板としては、磁石にくっつかず、軽い材質のものが好ましく、たとえば、プラスチック製、セラミック製、木製又は紙製のものが挙げられる。円筒体、円板及び／又はドーナツ板を設置する場合、上記の隙間は、磁石の大きさに円筒体、円板及び／又はドーナツ板を加えた大きさで考慮される。
【００３４】
（４）の方法において、連結面と反対側に、磁石の自由回転を手助けするたに備えた突起は、磁石に設けてもよいし、連結面に対して平行な平面に設けてもよいし、別途、突起を持つ円板を磁石と連結面に対して平行な平面との間に設けてもよい（図１０、１１参照）。
【００３５】
連結面に対して平行な平面と磁石との接触面積を少なくし、摩擦を軽減して、磁石の自由回転を手助けできれば、突起の大きさや形状や個数等に制限はない。
連結面に対して平行な平面等と磁石との接触面積をより少なくするためには、磁石の回転軸を通る箇所に突起を設けることが好ましい。
【００３６】
なお、（４）の方法において、突起を設けること以外、磁石を保持する方法としては、（１）、（２）又は（３）の方法が適用できる。
【００３７】
（５）の方法において、平頭くぎ部材の胴部分の太さや、平頭くぎ部材の頭部分と連結面との距離は、（１）の方法と同様の理由から、磁石が自由回転できる程度に、磁石の大きさよりも僅かに小さいか（円柱部分の太さ）又は僅かに大きい（平頭くぎ部材の頭部分と連結面との距離）ことが好ましい。平頭くぎ部材の胴部分、平頭くぎ部材の頭部分又は連結面と磁石との間の隙間は、２ｍｍ程度（好ましくは１ｍｍ、さらに好ましくは０．５ｍｍ、特に好ましくは０．３ｍｍ、最も好ましくは０．２ｍｍ）設けることが好ましい。
【００３８】
平頭くぎ部材の大きさに制限はないが、強度を担保できる限り、できるだけ軽く薄く短く小さいことが好ましい。
【００３９】
また、平頭くぎ部材の胴部分を中心にして自由回転できる円筒体を胴部分に設けてもよい。この円筒体を設けることにより、磁石と胴部分との間の摩擦が軽減され、磁石の自由回転がより容易となる。また、磁石の自由回転をより容易にするために、磁石と平頭くぎ部材の頭部分との間にドーナツ板を設置してもよい（図１２参照）。
【００４０】
また、円筒体及び／又はドーナツ板としては、磁石にくっつかず、軽い材質のものが好ましく、たとえば、プラスチック製、セラミック製、木製又は紙製のものが挙げられる。円筒体及び／又はドーナツ板を設置する場合、上記の隙間は、磁石の大きさに加え、円筒体及び／又はドーナツ板の大きさが考慮される。
【００４１】
（６）の方法において、磁石の円周側面に設けた磁石保持リングの大きさに制限はないが、強度を担保できる限り、できるだけ軽く薄く短く小さいことが好ましい。
【００４２】
また、磁石の円周側面に設けた磁石保持リングを保持するための保持部材としては、磁石保持リングを保持し、磁石が自由回転できれば制限はない。
【００４３】
また、磁石の円周側面に設けた磁石保持リングと、これを保持するための保持部材との隙間は、２ｍｍ程度（好ましくは１ｍｍ、さらに好ましくは０．５ｍｍ、特に好ましくは０．３ｍｍ、最も好ましくは０．２ｍｍ）が好ましい。
【００４４】
また、磁石の自由回転をより容易にするために、磁石保持リングと保持部材との間に円板及び／又ドーナツ板を設置してもよい。
【００４５】
また、円板及び／又はドーナツ板としては、磁石にくっつかず、軽い材質のものが好ましく、たとえば、プラスチック製、セラミック製、木製又は紙製のものが挙げられる。円板及び／又はドーナツ板を設置する場合、上記の隙間は、磁石保持リングの大きさに、円板及び／又はドーナツ板を加えた大きさで考慮される。
【００４６】
また、（６）の方法を適用すると、連結面と着磁面とが一致する、すなわち、磁石と磁石とが直接的に接合（吸着）できるため（磁石と磁石との間にブロック玩具の他の構成部材が存在しない）、ブロック玩具同士を強力に連結することができる。
【００４７】
（７）の方法において、平頭くぎ部材の大きさに制限はないが、強度を担保できる限り、できるだけ軽く薄く短く小さいことが好ましい。平頭くぎ部材に替えて、丸頭くぎ部材（平頭くぎ部材の頭部分を球状にしたもの）等を用いてもよい。
【００４８】
また、平頭くぎ部材を保持するための保持部材としては、平頭くぎ部材を保持し、磁石が自由回転できれば制限はない。
【００４９】
また、平頭くぎ部材と、これを保持するための保持部材との隙間は、２ｍｍ程度（好ましくは１ｍｍ、さらに好ましくは０．５ｍｍ、特に好ましくは０．３ｍｍ、最も好ましくは０．２ｍｍ）が好ましい。
【００５０】
また、磁石の自由回転をより容易にするために、磁石と保持部材との間にドーナツ板を設置したり、平頭くぎ部材の頭部分と保持部材との間等に円板及び／又ドーナツ板を設置してもよい（図１４参照）。
【００５１】
また、円板及び／又はドーナツ板としては、磁石にくっつかず、軽い材質のものが好ましく、たとえば、プラスチック製、セラミック製、木製又は紙製のものが挙げられる。円板及び／又はドーナツ板を設置する場合、上記の隙間は、磁石の大きさに加え、円板及び／又はドーナツ板の大きさが考慮される。
【００５２】
また、（７）の方法を適用すると、連結面と着磁面とが一致する、すなわち、磁石と磁石とが直接的に接合（吸着）できるため（磁石と磁石との間にブロック玩具の他の構成部材が存在しない）、ブロック玩具同士を強力に連結することができる。
【発明の効果】
【００５３】
本発明のブロック玩具は、簡易に連結でき、連結する際、ブロック同士が所定の位置からズレにくい。
したがって、本発明のブロック玩具を用いると、位置調整する必要がなく、ブロック同士を連結するのに高度な技術が必要としない。
本発明のブロック玩具は幼児向きの玩具等として適している。
【図面の簡単な説明】
【００５４】
【図１】本発明のブロック玩具において、磁石の保持方法の一態様について、連結面に対して垂直方向に切断した部分端面を模式的に示した部分端面図である。
【図２】本発明のブロック玩具において、磁石の保持方法の一態様（図１の態様にボールを追加した態様）について、連結面に対して垂直方向に切断した部分端面を模式的に示した部分端面図である。
【図３】本発明のブロック玩具において用いられるディスク型磁石及びこの着磁パターンを模式的に示した斜視図である。
【図４】本発明のブロック玩具において用いられるリング型磁石及びこの着磁パターンを模式的に示した斜視図である。
【図５】特許文献１に記載されたブロック玩具において、磁石全体の約半分の長さだけズレて連結した磁石を模式的に示した斜視図である。
【図６】特許文献２に記載されたブロック玩具において、２個連結してなる磁石の１個分だけズレて連結した磁石を模式的に示した斜視図である。
【図７】本発明のブロック玩具において、磁石の保持方法の一態様について、連結面に対して平行な平面を設ける直前の様子を模式的に示した斜視図である。
【図８】本発明のブロック玩具において、磁石の保持方法の一態様について（図７の態様に、磁石の自由回転を手助けるための円筒体を追加した態様）、連結面に対して垂直方向に切断した部分端面を模式的に示した部分端面図である。
【図９】本発明のブロック玩具において、磁石の保持方法の一態様について、模式的に示した斜視図である。
【図１０】本発明のブロック玩具において、磁石の保持方法の一態様（図１の態様に突起を追加した態様）について、連結面に対して垂直方向に切断した部分端面を模式的に示した部分端面図である。
【図１１】本発明のブロック玩具において、磁石の保持方法の一態様について（図９の態様に突起を持つ円板を追加した態様）、回転軸に対して垂直な方向から模式的に示した側面図である。
【図１２】本発明のブロック玩具において、磁石の保持方法の一態様について、回転軸に対して垂直な方向から模式的に示した側面図である。
【図１３】本発明のブロック玩具において、磁石の保持方法の一態様について、連結面に対して垂直方向に切断した部分端面を模式的に示した部分端面図である。
【図１４】本発明のブロック玩具において、磁石の保持方法の一態様について、連結面に対して垂直方向に切断した部分端面を模式的に示した部分端面図である。
【発明を実施するための形態】
【００５５】
以下、図面を用いて、本発明のブロック玩具について、さらに詳細に説明する。なお特記しない限り、最初に説明した事項は、後ろの図面の説明においても共通して適用できる。
【００５６】
＜図３、４＞
図３は、本発明のブロック玩具において用いられるディスク型磁石及びこの着磁パターンを模式的に示した斜視図である。図３に示した磁石は、６極に片面多極着磁又は両面多極着磁された磁石である。着磁パターンは着磁ビュワーを着磁面に重ねることにより確認できる。
図４は、本発明のブロック玩具において用いられるリング型磁石及びこの着磁パターンを模式的に示した斜視図である。図４に示した磁石は、６極に片面多極着磁又は両面多極着磁された磁石である。
【００５７】
＜図１＞
図１は、磁石の保持方法のうち、連結面（３０）と、連結面に対して平行な平面（４０）との間に円筒体（５０）を設けて、円筒体の内部に磁石（１０）を保持する一態様について、連結面（３０）に対して垂直方向に切断した部分端面を模式的に示した部分端面図である。
【００５８】
図１の磁石の保持方法において、磁石（１０）は、ディスク型又はリング型のいずれの磁石も用いることができる。
【００５９】
連結面（３０）は、ブロック玩具を構成する部材のうち、磁石（１０）及び磁石保持部材以外の部材（ブロック玩具本体）から構成されている。すなわち、ブロック玩具を構成する部材を介して磁石と磁石とが接合する。
【００６０】
連結面（３０）によって、円筒体（５０）の片方の開放口の全面が封鎖（閉鎖）されていてもよいし、その一部が開口されていてもよい（開放口の一部を開口し、磁石の動きが外部から見えるように構成してもよい。）。
【００６１】
円筒体（５０）は、磁石（１０）を自由回転するように保持するための磁石保持部材であって、磁石（１０）の大きさよりも僅か（２ｍｍ程度（好ましくは１ｍｍ、さらに好ましくは０．５ｍｍ、特に好ましくは０．３ｍｍ、最も好ましくは０．２ｍｍ））に大きい。
【００６２】
連結面に対して平行な平面（４０）は、磁石（１０）の自由回転を阻害せず、円筒体（５０）から磁石（１０）が落下しないように保持するための部材である。この平面（４０）によって、円筒体（５０）の片方の開放口の全面が封鎖（閉鎖）されていてもよいし、その一部が開口されていてもよい。
【００６３】
図１の磁石の保持方法は、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である。
【００６４】
＜図２＞
図２は、図１の態様にボール（６０）を追加した態様について、連結面（３０）に対して垂直方向に切断した部分端面を模式的に示した部分端面図である。
【００６５】
ボール（６０）は、磁石の自由回転をより容易にするために、磁石（１０）の廻りに設置されたものである（ボールベアリング）。
ボール（６０）は、磁石（１０）にくっつかず、軽い材質のものが好ましく、たとえば、プラスチック製、セラミック製、木製又は紙製のものが挙げられる。
【００６６】
＜図７＞
図７は、磁石の保持方法のうち、連結面（３０）と、連結面に対して平行な平面（４０）との間に３個の円柱（５１）（磁石保持部材）を設けて、この３個の円柱（５１）と、連結面（３０）と、連結面に対して平行な平面（４０）との間にできた空間に磁石（１０）を保持する一態様について、連結面（３０）に対して平行な平面を設ける直前の様子を模式的に示した斜視図である。
【００６７】
図７の磁石の保持方法において、磁石（１０）は、ディスク型又はリング型のいずれの磁石も用いることができる。
【００６８】
円柱（５１）（磁石保持部材）は、図１の保持方法で用いられる円筒体（５０）に替えて、磁石（１０）を自由回転するように保持するための磁石保持部材であって、磁石（１０）との最短距離は僅か（２ｍｍ程度（好ましくは１ｍｍ、さらに好ましくは０．５ｍｍ、特に好ましくは０．３ｍｍ、最も好ましくは０．２ｍｍ））である。
【００６９】
円柱（５１）は、他の磁石保持部材（棒状体又は面状体等）に変更することができる。棒状体としては、円柱以外に、三角柱、四角柱、五角柱、六角柱及び立方体が含まれる。また面状体としては、曲平面体（円筒の一部分）が含まれる。
円柱（５１）は、強度を担保できる限り、できるだけ軽く薄く短く小さいことが好ましい。
【００７０】
図７の磁石の保持方法は、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である。
【００７１】
＜図８＞
図８は、図７の態様に、円柱（５１）を中心にして自由回転できる小円筒体（６１）をこの円柱（５１）に設けた態様について、連結面（３０）に対して垂直方向に切断した部分端面を模式的に示した部分端面図である。
【００７２】
この小円筒体（６１）を設けることにより、磁石（１０）と円柱（５１）との間の摩擦が軽減され、磁石（１０）の自由回転がより容易となる。小円筒体（６１）としては、磁石（１０）にくっつかず、軽い材質のものが好ましく、たとえば、プラスチック製、セラミック製、木製又は紙製のものが挙げられる。
【００７３】
＜図９＞
図９は、磁石の保持方法のうち、３個の平頭くぎ部材（５２）を平頭くぎ部材（５２）の頭部分を連結面（３０）から遠くなるように、かつ、平頭くぎ部材（５２）の胴部分を連結面（３０）に垂直になるようにして連結面（３０）に設けて、連結面（３０）と、平頭くぎ部材（５２）の胴部分と、平頭くぎ部材（５２）の頭部分との間にできた空間に磁石（１０）を保持する一態様について模式的に示した斜視図である。
【００７４】
図９の磁石の保持方法において、磁石（１０）は、ディスク型又はリング型のいずれの磁石も用いることができる。
【００７５】
３個の平頭くぎ部材（５２）は、図７の保持方法で用いられる円柱（５１）及び連結面に対して平行な平面（４０）に替えて、磁石を自由回転するように保持するための磁石保持部材であって、平頭くぎ部材（５２）を連結面（３０）に打ち付けたようにして連結面（３０）に設けられる。
【００７６】
３個の平頭くぎ部材（５２）は、これらの胴部分と磁石との最短距離が僅か（２ｍｍ程度（好ましくは１ｍｍ、さらに好ましくは０．５ｍｍ、特に好ましくは０．３ｍｍ、最も好ましくは０．２ｍｍ））となるように設置される。
【００７７】
３個の平頭くぎ部材（５２）は、強度を担保できる限り、できるだけ軽いことが好ましい。
【００７８】
図９の磁石の保持方法は、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である。
【００７９】
＜図１０＞
図１０は、図１の態様に突起（６２）を追加した態様について、連結面（３０）に対して垂直方向に切断した部分端面を模式的に示した部分端面図である。
【００８０】
磁石（１０）は、ディスク型の磁石である。
【００８１】
突起（６２）は、磁石の自由回転をより容易にするために、連結面に対して平行な平面（４０）の磁石の回転軸（２０）を通る箇所に設置されたものである。
【００８２】
突起（６２）は、磁石（１０）にくっつかず、軽い材質のものが好ましく、たとえば、プラスチック製、セラミック製、木製又は紙製のものが挙げられる。
【００８３】
＜図１１＞
図１１は、図９の態様に突起（６２）を持つ円板（６３）を追加した態様について、回転軸（２０）に対して垂直な方向から模式的に示した側面図である。
【００８４】
磁石（１０）は、ディスク型の磁石である。
【００８５】
突起（６２）は、磁石の自由回転をより容易にするために、円板（６３）の回転軸（２０）を通る箇所に設けられている。円板（６３）は磁石（１０）とは別に、回転軸（２０）を中心として自由回転できる。
突起（６２）を持つ円板は、磁石（１０）にくっつかず、軽い材質のものが好ましく、たとえば、プラスチック製、セラミック製、木製又は紙製のものが挙げられる。
【００８６】
＜図１２＞
図１２は、磁石の保持方法のうち、平頭くぎ部材（５２）の頭部分が連結面（３０）から遠くなるようにしてリング孔に通した平頭くぎ部材（５２）により磁石を保持し、平頭くぎ部材（５２）の芯軸を中心に磁石が自由回転するように構成した一態様について、回転軸に対して垂直な方向から模式的に示した側面図である。
【００８７】
図１２の磁石の保持方法において、磁石（１０）は、リング型の磁石を用いている。
【００８８】
平頭くぎ部材（５２）は、図１の保持方法で用いられる円筒体（５０）及び連結面に対して平行な平面（４０）や、図７の保持方法で用いられる円柱（５１）及び連結面に対して平行な平面（４０）に替えて、磁石を自由回転するように保持するための磁石保持部材であって、平頭くぎ部材（５２）を連結面（３０）に打ち付けたようにして連結面（３０）に設けられる。
【００８９】
平頭くぎ部材（５２）は、この胴部分が磁石のリング孔よりも僅か（２ｍｍ程度（好ましくは１ｍｍ、さらに好ましくは０．５ｍｍ、特に好ましくは０．３ｍｍ、最も好ましくは０．２ｍｍ））に小さい。
【００９０】
平頭くぎ部材（５２）は、強度を担保できる限り、できるだけ軽いことが好ましい。
【００９１】
磁石の自由回転をより容易にするために、磁石（１０）と平頭くぎ部材（５２）の頭部分との間にドーナツ板（６４）が設けられている。
【００９２】
ドーナツ板としては、磁石にくっつかず、軽い材質のものが好ましく、たとえば、プラスチック製、セラミック製、木製又は紙製のものが挙げられる。
【００９３】
図１２の磁石の保持方法は、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である。
【００９４】
＜図１３＞
図１３は、磁石の保持方法のうち、磁石（１０）の円周側面に磁石保持リング（５３）を設け、磁石保持リング（５３）を保持部材で保持して、磁石が自由回転するように構成した一態様について、連結面（３０）に対して垂直方向に切断した部分端面を模式的に示した部分端面図である。
【００９５】
図１３の磁石の保持方法において、磁石（１０）は、ディスク型又はリング型のいずれの磁石も用いることができる。
【００９６】
磁石保持リング（５３）は、磁石（１０）の円周側面に設けられ、磁石（１０）が自由回転し、かつ、ブロック玩具から磁石（１０）が脱落しないように保持するためのものである。
【００９７】
磁石保持リング（５３）は、強度を担保できる限り、できるだけ軽く薄く短く小さいことが好ましい。
【００９８】
磁石保持リング（５３）は、保持部材｛円筒体（５０）、連結面に対して平行な平面（４０）等｝により、回転軸（２０）を中心にして磁石（１０）と共に自由回転できるように保持されている。
【００９９】
図１３の方法を適用すると、連結面と着磁面とが一致する、すなわち、磁石と磁石とが直接的に接合（吸着）できるため（磁石と磁石との間にブロック玩具の他の構成部材が存在しない）、ブロック玩具同士を強力に連結することができる。したがって、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である他、より連結強度が要求されるブロック玩具（アームの先端に他のブロック等を連結できる人形玩具又はロボット玩具等）に適用することができる。
【０１００】
＜図１４＞
図１４は、磁石の保持方法のうち、連結面（３０）と反対側に、平頭くぎ部材（５２）の頭部分が磁石（１０）から遠くなるようにして、磁石（１０）に平頭くぎ部材（５２）を設け、平頭くぎ部材（５２）を保持部材で保持して、磁石（１０）が自由回転するように構成した一態様について、連結面（３０）に対して垂直方向に切断した部分端面を模式的に示した部分端面図である。
【０１０１】
図１４の磁石の保持方法において、磁石（１０）は、ディスク型又はリング型のいずれの磁石も用いることができる。
【０１０２】
平頭くぎ部材（５２）は、図１３の保持方法で用いられる磁石保持リング（５３）に替えて、磁石（１０）を自由回転するように保持するための磁石保持部材であって、磁石（１０）に設けられる。
【０１０３】
平頭くぎ部材（５２）は、強度を担保できる限り、できるだけ軽いことが好ましい。
【０１０４】
平頭くぎ部材（５２）は、平頭くぎ部材保持具（５４）により、回転軸（２０）を中心にして磁石（１０）と共に自由回転できるように保持されている。
【０１０５】
磁石（１０）の自由回転をより容易にするために、磁石（１０）と平頭くぎ部材保持具（５４）との間、及び平頭くぎ部材（５２）の頭部分と平頭くぎ部材保持具（５４）との間に、それぞれドーナツ板（６４）が設けられている。
【０１０６】
ドーナツ板としては、磁石にくっつかず、軽い材質のものが好ましく、たとえば、プラスチック製、セラミック製、木製又は紙製のものが挙げられる。
【０１０７】
図１４の方法を適用すると、連結面と着磁面とが一致する、すなわち、磁石と磁石とが直接的に接合（吸着）できるため（磁石と磁石との間にブロック玩具の他の構成部材が存在しない）、ブロック玩具同士を強力に連結することができる。したがって、三角柱状、立方体状、直方体状、多角柱状、円柱状、ドーナツ柱状又はこれらの形状と曲面や平面等を組合わせたブロック玩具（たとえば、特許文献１、２）の内部に磁石を保持する場合に好適である他、より連結強度が要求されるブロック玩具（アームの先端に他のブロック等を連結できる人形玩具又はロボット玩具等）に適用することができる。
【符号の説明】
【０１０８】
１０  磁石
１１  リング型磁石
２０  回転軸
３０  連結面
４０  連結面に対して平行な平面
５０  円筒体
５１  円柱（磁石保持部材）
５２  平頭くぎ部材
５３  磁石保持リング
５４  平頭くぎ部材保持具
６０  ボール
６１  小円筒体
６２  突起
６３  突起を持つ円板
６４  ドーナツ板
【図１】
2010259613.tif 000003
【図２】
2010259613.tif 000004
【図３】
2010259613.tif 000005
【図４】
2010259613.tif 000006
【図５】
2010259613.tif 000007
【図６】
2010259613.tif 000008
【図７】
2010259613.tif 000009
【図８】
2010259613.tif 000010
【図９】
2010259613.tif 000011
【図１０】
2010259613.tif 000012
【図１１】
2010259613.tif 000013
【図１２】
2010259613.tif 000014
【図１３】
2010259613.tif 000015
【図１４】
2010259613.tif 000016